(57)【要約】【課題】運転員が選択した任意の警報メッセージのみ、フリッカ表示を停止する警報確認操作が可能なプラント監視制御装置、及びその制御方法を提供する。【解決手段】  警報メッセージのステータスと、表示部３における警報メッセージの確認の有無の情報を記憶する警報情報記録処理部６と、警報が発せられた場合に、警告メッセージのステータスを警報状態に更新する警報情報更新処理部５と、表示部３において、ステータスが警報状態の警告メッセージを警報色のフリッカ表示とする警報監視画面表示処理部７と、警報色のフリッカ表示の警告メッセージを個別に選択し、警報情報記録処理部６における警報メッセージの確認の有無の情報を有りと更新する警報個別確認処理部１０と、を有す。警報監視画面表示処理部７は、警報メッセージの確認の情報が有りであるフリッカ表示を停止する。【選択図】図１
2015036849.tif 000002
【特許請求の範囲】
【請求項１】
プラントで発せられた警報に基づく複数の警報メッセージを表示部に表示するプラント監視制御装置であって、
前記警報メッセージの有無を示すステータスと、前記表示部における警報メッセージの確認情報の有無と、を記憶する警報情報記憶部と、
前記警報が発せられた場合に、前記警告メッセージのステータスを警報メッセージの有りに更新する警報情報更新処理部と、
前記警報メッセージの有りのステータスの警告メッセージを、前記表示部において、フリッカ表示とする警報監視画面表示処理部と、
前記フリッカ表示の警告メッセージを個別に選択し、前記警報情報記憶部における警報メッセージの確認情報を有りと更新する警報個別確認部と、を有し、
前記警報監視画面表示処理部は、前記警報メッセージの有りのステータスの警告メッセージのうち、前記警報メッセージの確認情報が有りである警報メッセージのフリッカ表示を停止すること、
を特徴とするプラント監視制御装置。
【請求項２】
前記警報色のフリッカ表示の警告メッセージを複数選択し、その選択結果に基づいて前記警報情報記憶部における警報メッセージの確認の有無情報を有りと更新する警報複数確認部を備えることを特徴する請求項１に記載のプラント監視制御装置。
【請求項３】
警報情報記憶部は、前記警報メッセージに対する検索の有無の情報を更に記憶し、
前記警報監視画面表示処理部は、前記警報メッセージの確認情報が有り、且つ、前記警報メッセージに対する検索の有りであるフリッカ表示を停止することを特徴とする請求項１または請求項２に記載のプラント監視制御装置。
【請求項４】
プラントで発せられた警報に基づく警報メッセージを表示部に表示するプラント監視制御装置の制御方法であって、
前記プラント監視制御装置は、
前記警報メッセージの有無を示すステータスと、前記表示部における警報メッセージの確認情報の有無と、を記憶する警報情報記憶部と、を備え、
前記警報が発せられた場合に、前記警告メッセージのステータスを警報メッセージの有りに更新する警報情報更新処理ステップと、
前記警報メッセージの有りのステータスの警告メッセージを、前記表示部において、フリッカ表示とする警報監視画面表示処理ステップと、
前記フリッカ表示の警告メッセージを個別に選択し、前記警報情報記憶部における警報メッセージの確認情報を有りと更新する警報個別確認ステップと、を有し、
前記警報監視画面表示処理ステップは、前記警報メッセージの有りのステータスの警告メッセージのうち、前記警報メッセージの確認情報が有りである警報メッセージのフリッカ表示を停止すること、
を特徴とするプラント監視制御装置の制御方法。
【発明の詳細な説明】
【技術分野】
【０００１】
本発明の実施形態は、プラント監視制御装置、及びその制御方法に関する。
【背景技術】
【０００２】
発電プラントや化学プラント等の監視制御を行うプラント監視装置の重要な機能の１つに、警報監視機能がある。警報監視機能は、プラントの各種警報を運転員に通知する機能であり、警報の通知方法としては、液晶ディスプレイ等の表示装置に、一覧表示形式の警報監視画面を表示して通知する（例えば、特許文献１参照）。
【０００３】
また、新たな警報発生時には、警報が発生したことを運転員に明確に認識させるため、警報監視画面上に警報色（例えば赤色）で警報メッセージをフリッカ表示する。
【０００４】
警報発生時に運転員は、警報監視画面に警報色でフリッカ表示されている警報メッセージを確認することで、どの様な警報が発生したのかを認識する。この警報色でフリッカ表示という表示状態は「未確認警報」と呼ばれている。
【０００５】
そして、運転員が当該警報を確認したという確認行為として、警報監視画面に設けられた一括確認プッシュボタン（以下、ＰＢとする）を操作することにより、警報監視画面に警報色でフリッカ表示されていた複数の警報メッセージのフリッカが一括停止する。この警報色でフリッカ停止の表示状態は、「確認済み警報」と呼ばれている。
【先行技術文献】
【特許文献】
【０００６】
【特許文献１】特開平０２−２９９３９４号公報
【発明の概要】
【発明が解決しようとする課題】
【０００７】
警報確認操作を行うことで全ての未確認警報のメッセージのフリッカを一括で停止させる方法では、警報確認操作時に警報監視画面上に表示されないページ上の警報メッセージまでフリッカを停止させてしまう。その為、運転員が未確認の警報メッセージのフリッカ表示まで誤ってフリッカを停止させてしまう危険性がある。その場合、運転員は未確認警報と確認済み警報との区別をつけられなくなり、運転員による確実な警報確認操作が行えない問題があった。
【０００８】
また、運転員が警報確認時に表示している画面１ページ分の未確認警報メッセージのフリッカを一括で停止させる方法の場合でも、運転員がフリッカを継続したい警報メッセージについてもフリッカを停止させてしまうこととなるので、監視上の点で問題があった。
【０００９】
そこで本発明の実施形態は、上記のような従来技術の問題点を解決するために提案されたもので、運転員が選択した任意の警報メッセージのみ、フリッカ表示を停止する警報確認操作が可能なプラント監視制御装置、及びその制御方法を提供することである。
【課題を解決するための手段】
【００１０】
上記の目的を達成するために、本発明の実施形態のプラント監視制御装置は、以下の構成を備える。
（ａ）警報メッセージの有無を示すステータスと、表示部における警報メッセージの確認情報の有無と、を記憶する警報情報記憶部を備える。
（ｂ）警報が発せられた場合に、前記警告メッセージのステータスを警報メッセージの有りに更新する警報情報更新処理部を備える。
（ｃ）前記警報メッセージの有りのステータスの警告メッセージを、前記表示部において、フリッカ表示とする警報監視画面表示処理部を備える。
（ｄ）フリッカ表示の警告メッセージを個別に選択し、前記警報情報記憶部における警報メッセージの確認情報を有りと更新する警報個別確認部を備える。
（ｅ）前記警報監視画面表示処理部は、前記警報メッセージの有りのステータスの警告メッセージのうち、前記警報メッセージの確認情報が有りである警報メッセージのフリッカ表示を停止する。
【００１１】
また、プラント監視制御方法も本発明の一態様である。
【図面の簡単な説明】
【００１２】
【図１】本発明の第１実施形態に係るプラント監視制御装置の構成を示すブロック図である。
【図２】本発明の第１実施形態の表示部に表示する警報監視画面の一例を示す図である。
【図３】本発明の第１実施形態の表示部に表示する警報監視画面の一例を示す図である。
【図４】本発明の第１実施形態の警報メッセージテーブルの一例を示す図である。
【図５】本発明の第１実施形態のプラント監視制御装置の動作を示すフローチャートである。
【図６】本発明の第１実施形態の警報メッセージテーブルの更新例を示す図である。
【図７】本発明の第２実施形態に係るプラント監視制御装置の構成を示すブロック図である。
【図８】本発明の第２実施形態の表示部に表示する警報監視画面の一例を示す図である。
【図９】本発明の第２実施形態の警報メッセージテーブルの一例を示す図である。
【図１０】本発明の第２実施形態のプラント監視制御装置の動作を示すフローチャートである。
【図１１】本発明の第３実施形態に係るプラント監視制御装置の構成を示すブロック図である。
【図１２】本発明の第３実施形態の表示部に表示する警報監視画面の一例を示す図である。
【図１３】本発明の第３実施形態の警報メッセージテーブルの一例を示す図である。
【図１４】本発明の第３実施形態のプラント監視制御装置の動作を示すフローチャートである。
【発明を実施するための形態】
【００１３】
以下、本発明に係るプラント監視制御装置の実施形態について図面を参照しつつ詳細に説明する。実施形態において、重複する図面の説明は省略する。
【００１４】
［１．第１実施形態］
［１−１．構成］
以下、図１乃至５を参照しつつ、第１実施形態に係るプラント監視制御装置を説明する。本実施形態は、表示部に表示される警報監視画面の警報メッセージに対して、警報メッセージごとに警報の確認操作を可能にするものである。図１，２を用いて、本実施形態が具備する構成を説明する。
【００１５】
本実施形態のプラント監視制御装置１は、表示部３、入力部４、警報情報更新処理部５、警報情報記録処理部６、警報監視画面表示処理部７、警報一括確認処理部８、警報検索処理部９、警報個別確認処理部１０とを備える。
【００１６】
表示部３は、ＬＣＤやＣＲＴ等のディスプレイ装置である。図２に示すように、表示部３には、警報監視画面３１が表示される。警報監視画面３１には、警報メッセージ３２、一括確認ＰＢ３３、警報種別検索ウィンドウ３４が表示される。
【００１７】
警報メッセージ３２は、プラント２で発せられた警報の発生日時、警報Ｎｏ、警報の名称を含む。警報メッセージ３２を、ユーザである運転員が入力部４を介して選択すると、図３に示すように、警報個別確認ウィンドウ３５が表示される。警報個別確認ウィンドウ３５には、個別確認ＰＢ３６が設けられる。個別確認ＰＢ３６は、警報個別確認ウィンドウ３５を開いた警報メッセージ３２の確認を行うためのプッシュボタンである。
【００１８】
一括確認ＰＢ３３は、警報監視画面３１上の警報メッセージ３２の確認を一括で行うためのプッシュボタンである。警報種別検索ウィンドウ３４には、プラント２における警報の項目が記載される。警報種別検索ウィンドウ３４において、警報確認操作を行いたい項目を選択すると、警報監視画面３１上には、検索結果の警報メッセージ３２のみが表示される。警報種別検索ウィンドウ３４において検索を行う項目としては、「タービン系統」「ボイラ系統」「電気系統」などがある。
【００１９】
この警報監視画面３１は、警報メッセージ３２の数によっては、複数のページから構成させる。図２，３に示す警報監視画面３１では、ｎｎページから構成されており、警報監視画面３１に表示されるページは、ｎｎページ中１ページ目が表示されている。
【００２０】
入力部４は、マウスやタッチスクリーン、キーボードに代表される入力装置からの入力を受け付ける。ユーザである運転員は、入力部４を操作することにより、警報監視画面３１に表示される警報メッセージ３２、個別確認ＰＢ３６、一括確認ＰＢ３３、警報種別検索ウィンドウ３４の項目の選択を行う。入力部４は、その選択結果を受け付け、警報一括確認処理部８、警報検索処理部９、警報一括確認処理部８に対して選択結果を通知する。
【００２１】
警報情報更新処理部５は、プラント２で発せられた警報に基づく信号を受信し、プラント２で発せられた警報の状態に変化があれば、後述する警報情報記録処理部６の内容を更新する処理を行う。すなわち、プラント２で警報が発せられた場合は、警報情報記録処理部６のステータス列の更新を行う。
【００２２】
警報情報記録処理部６は、プラント２で発せられた警報に基づく警報メッセージ３２、その警報メッセージ３２に対する検索処理の有無、警報メッセージ３２のステータス、及び警報メッセージ３２に対する確認の有無を関連付けた警報メッセージテーブル１３を記憶する。図４は、警報情報記録処理部６の警報メッセージテーブルの一例である。この警報メッセージテーブル１３では、プラントで発せられた警報に基づく「警報メッセージ行」と、「警報Ｎｏ列」、「発生日時列」、「警報名称列」、「検索列」、「ステータス列」、「確認列」が設けられる。
【００２３】
「警報Ｎｏ列」、「発生日時列」、「警報名称列」は、警報メッセージ３２の警報番号、警報が発生した日時、警報の名称を示すものである。「警報Ｎｏ」は、警報メッセージ３２毎に付せられる固有のナンバーである。「発生日時」は、警報メッセージ３２が発せられた日時を示すものである。「警報名称列」は、警報メッセージ３２の名称を示すものである。
【００２４】
「検索列」は、警報メッセージ３２に対して検索処理が行われた否かを示すものであり、“０”と“１”で表させる。“０”は、警報メッセージ３２に対して検索処理が行われていないことを示し、“１”は警報メッセージ３２に対して検索処理が行われたことを示す。検索処理は、ユーザが、警報監視画面３１の警報種別検索ウィンドウ３４において、警報確認操作を行いたい項目を選択することで行われる。
【００２５】
「ステータス列」は、警報メッセージ３２のステータスを示すものであり、“０”と“１”で表させる。“０”は、警報監視画面３１上では緑色で表され、プラント２において警報が発せられていないことを示す。“１”は、警報監視画面３１上では赤色で表され、プラント２において警報が発せられたことを示す。「ステータス列」の“０”と“１”の更新は、警報情報更新処理部５により行われる。つまり、警報情報更新処理部５は、プラント２で警報が発せられた場合は、“０”から“１”へ更新を行う。
【００２６】
「確認列」は、警報メッセージ３２に対して警報確認操作の有無を示すものであり“０”と“１”で表される。“０”は、警報監視画面３１上ではフリッカ表示として表され、警報確認操作が行われていないことを示す。“１”は、警報監視画面３１上では点灯として表され、警報確認操作が行われたことを示す。
【００２７】
警報情報記録処理部６で記憶された内容は、警報監視画面表示処理部７に対して出力される。警報監視画面表示処理部７では、その内容に従って表示部３の警報監視画面３１に警報メッセージ３２を表示する。
【００２８】
警報一括確認処理部８は、入力部４からのユーザの警報監視画面３１の一括確認ＰＢ３３を選択したという通知に基づいて、警報情報記録処理部６の「確認列」の更新を行う。更新は、「確認列」内のすべての“０”を“１”に置き換える。
【００２９】
警報検索処理部９は、入力部４からの検索処理の通知に基づいて、警報情報記録処理部６の「検索列」の更新を行う。更新は、ユーザが警報種別検索ウィンドウ３４において、選択した警報確認操作を行いたい項目に対応する警報メッセージ行の「検索列」の“０”を“１”に置き換える。
【００３０】
警報個別確認処理部１０は、入力部４からのユーザの警報監視画面３１の個別確認ＰＢ３６を選択したという通知に基づいて、警報情報記録処理部６の「確認列」の更新を行う。更新は、ユーザが個別確認ＰＢ３６を選択した警報メッセージ３２に対応する、警報メッセージ行の「確認列」の“０”を“１”に置き換える。
【００３１】
［１−２．作用］
このように構成された本実施形態のプラント監視制御装置１の動作を図５を用いて詳述する。図５は、図１のプラント監視制御装置１において、表示部３の警報監視画面３１に表示される未確認警報に対する警報確認操作において、個別の警報ごとに確認する場合のフローチャートである。
【００３２】
プラント２で警報が発せられると、警報監視画面３１では該当する警報メッセージ３２が警報色でフリッカ表示される。運転員は表示部３に表示される警報監視画面３１で未確認警報を確認する。確認後、運転員は入力部４を操作し、一括確認ＰＢ３３で確認するか、個別に確認するかの選択をする（ＳＴＥＰ１０１）。
【００３３】
警報を一括で確認する場合（ＳＴＥＰ１０１のＹ）は、運転員は、警報監視画面３１に表示されている一括確認ＰＢ３３を選択する（ＳＴＥＰ１０２）。一括確認ＰＢ３３が選択されると、入力部４から警報一括確認処理部８に対して一括確認操作を受け付けた旨の通知が出力される。
【００３４】
警報一括確認処理部８では、一括確認操作を受け付けた旨の通知に基づいて、警報情報記録処理部６の警報メッセージテーブル内の確認列の“０”をすべて“１”に変更する（ＳＴＥＰ１０３）。これにより、警報確認操作を行った警報メッセージ３２は、警報色のフリッカを停止した状態で表示部３に表示される。
【００３５】
一方、警報メッセージ３２を個別に確認する場合（ＳＴＥＰ１０１のＮ）は、運転員は、警報監視画面３１に表示されている１つの警報メッセージ３２を選択し、警報確認操作を行う（ＳＴＥＰ１０４）。例えば、図３において、ＴＡＧ  ＮＯ．９８７６の警報メッセージ３２が警報色でフリッカ表示された場合、この警報メッセージ３２に対する警報確認操作は、ＴＡＧ  ＮＯ．９８７６の個別確認ＰＢ３６を選択することで行う。その手順としては、メッセージの選択は、警報確認操作を行いたい１つの警報メッセージ上に入力部４を使用しカーソルを重ねる、もしくは右クリック等の操作を行う。これにより、ＴＡＧ  ＮＯ．９８７６の警報メッセージ３２の警報個別確認ウィンドウ３５が表示する。警報個別確認ウィンドウ３５には、個別確認ＰＢ３６があり、その確認ＰＢを選択することでＴＡＧ  ＮＯ．９８７６の警報メッセージ３２の警報確認操作を行う。
【００３６】
警報個別確認処理部１０では、個別確認ＰＢ３６を選択した旨の通知を受ける。警報個別確認処理部１０は、個別確認ＰＢ３６が選択された警報メッセージ３２に対応する警報メッセージ行の「確認」列だけに“１”を書き込む（ＳＴＥＰ１０５）。例えば、ＴＡＧ  ＮＯ．９８７６の警報メッセージ３２の警報確認操作を行った場合、図６に示すように、ＴＡＧ  ＮＯ．９８７６の警報メッセージ行の確認列の“０”を“１”に書き込む。
【００３７】
警報監視画面表示処理部７は、警報情報記録処理部６の更新内容を表示部３の警報監視画面３１に反映させる。運転員が警報確認操作を行い、警報情報記録処理部６の確認列が“１”となった警報メッセージ行に対応する警報メッセージ３２は、警報色のフリッカを停止した状態で表示部３に表示される。
【００３８】
その後、別の警報メッセージ３２に対して警報確認動作を行う場合（ＳＴＥＰ１０６のＹ）には、運転員は、警報監視画面３１に表示されている警報メッセージ３２を１つ選択する。その警報メッセージ３２の個別ＰＢの選択に基づいて、警報色のフリッカを停止状態とする。一方、別の警報メッセージ３２に対して警報確認動作を行わない場合はＳＴＥＰ１０６のＮ）には、確認動作を終了する。
【００３９】
［１−３．効果］
本実施形態のプラント監視制御装置によれば、運転員が警報確認操作を行いたいメッセージが１つの場合にでも、そのメッセージに対して警報確認操作を行うことが可能となり、警報メッセージのフリッカを意図せず停止してしまうことの無い、操作性の優れた警報確認操作機能が可能となる。
【００４０】
［２．第２実施形態］
［２−１．構成］
第２実施形態にかかるプラント監視制御装置１は、第１実施形態のプラント監視制御装置１に警報複数確認処理部１１と、警報監視画面３１に警報複数確認チェックボックス１７、確認ＰＢ１８と、警報情報記録処理部６に複数確認テーブル１６と、を追加したものであり、警報確認操作を行いたい複数の警報メッセージ３２を運転員が任意に選択し、一括で警報確認をおこなうことを可能としたものである。
【００４１】
本実施形態のプラント監視制御装置１について、図７を参照し説明する。図７は、本実施形態に係るプラント監視制御装置１を示すブロック図である。なお、第１実施形態と同一の構成には、同一の符号を付し、重複する説明は省略する。
【００４２】
警報複数確認処理部１１は、複数の警報メッセージ３２に対する警報確認操作に基づいて警報情報記録処理部６の内容を更新するものである。複数の警報メッセージ３２に対する警報確認操作は、図８に示すように、警報監視画面３１に表示される警報複数確認チェックボックス１７にチェックを付けることで行う。警報複数確認チェックボックス１７は、チェックが付かない段階では□と白抜きで表示され、チェックが付くと■と塗りつぶされて表示される。警報複数確認チェックボックス１７のチェックは、ユーザが入力部４を操作することにより行う。警報複数確認チェックボックス１７のチェック後、確認ＰＢ１８を選択することで、警報複数確認チェックボックス１７の選択結果は、警報複数確認処理部１１に通知される。この通知に基づいて、警報複数確認処理部１１は、警報情報記録処理部６の複数確認テーブル１６の内容の更新を行う。
【００４３】
警報情報記録処理部６の複数確認テーブル１６には、図９に示すように、「複数確認」列が設けられる。「複数確認」列は、”０”と”１”で表わされる。”０”は、警報複数確認チェックボックス１７に対するユーザの選択が行われなかったことを示し、”１”は、警報複数確認チェックボックス１７に対するユーザの選択が行われたことを示す。
【００４４】
警報監視画面３１上の確認ＰＢ１８より警報確認操作を行うことで、警報情報記録処理部６に格納される警報メッセージテーブル１３の「確認」列内に、複数確認テーブル１６内で「複数確認」列に“１”が立っている行だけ“１”を書き込む。
【００４５】
［２−２．作用］
このように構成された本実施形態のプラント監視制御装置１の動作を図１０を用いて詳述する。図１０は、図７のプラント監視制御装置１において、表示部３に表示される未確認警報の確認において、複数の警報ごとに確認する場合のフローチャートである。
【００４６】
図１０に示すように、本実施形態の動作は、未確認警報を確認後、運転員が一括確認ＰＢ３３で確認するか、個別に確認するかの選択をする工程（ＳＴＥＰ２０１）から、一括確認操作を受け付けた旨の通知に基づいて、警報情報記録処理部６の警報メッセージテーブル内の確認列の“０”をすべて“１”に変更する工程（ＳＴＥＰ２０３）までは前記実施形態のＳＴＥＰ１０１〜ＳＴＥＰ１０３と同様である。
【００４７】
一方、警報を個別に確認する場合（ＳＴＥＰ２０１のＮ）は、複数の警報メッセージ３２を一度に確認するか、個別に確認するかを選択する（ＳＴＥＰ２０４）。個別に確認する場合の工程（ＳＴＥＰ２０５〜ＳＴＥＰ２０６）は、前記実施形態のＳＴＥＰ１０４〜ＳＴＥＰ１０６と同様である。
【００４８】
複数のメッセージを一度に確認する場合は、ユーザは、警報確認操作を行いたい警報メッセージ３２の警報複数確認チェックボックス１７にチェックを入れる（ＳＴＥＰ２０８）。ここで、チェックを付けた警報メッセージ３２に対応するメッセージ行に対しては、複数確認テーブル１６の“０”を“１”に更新する（ＳＴＥＰ２０９）。
【００４９】
その後、画面の確認ＰＢ１８より警報確認操作を行う（ＳＴＥＰ２１０）。警報複数確認処理部１１は、複数確認テーブル１６内で“１”が立っている警報メッセージ行に対応する、警報メッセージテーブル１３の「確認」列に“１”を書き込む（ＳＴＥＰ２１１）。警報監視画面表示処理部７は、警報情報記録処理部６の更新内容を表示部３の警報監視画面３１に反映させる。運転員が警報確認操作を行い、警報情報記録処理部６の確認列が“１”となった警報メッセージ行に対応する警報メッセージ３２は、警報色のフリッカを停止した状態で表示部３に表示される。
【００５０】
［２−３．効果］
本実施形態のプラント監視制御装置１によれば、前記実施形態の効果に加えて、警報確認操作を行いたい複数の警報メッセージ３２を運転員が任意に選択し、一括で警報確認をおこなうことが可能となる。また、警報監視画面３１のページの前行進を行いながら、警報メッセージ３２の選択を行うことも可能であり、異なるページの警報メッセージ３２に対して警報確認操作を行うことができる。
【００５１】
また、この方法であれば確認ＰＢ１８を操作するまで警報フリッカが停止しない為、運転員が現在表示していないページの警報メッセージ３２を確認後、チェックした警報メッセージ３２に対して警報確認操作を取りやめたい場合にも簡単に警報確認操作を取りやめることが出来る。これにより操作性の優れた警確認操作機能が可能となる。
【００５２】
［３．第３実施形態］
［３−１．構成］
第３実施形態にかかるプラント監視制御装置１は、第２実施形態のプラント監視制御装置１の警報検索処理部９に代えて、警報検索結果確認処理部１２を追加し、警報メッセージ３２を検索し、検索した項目単位で一括して警報確認操作を可能としたものである。
【００５３】
本実施形態のプラント監視制御装置１について、図１１乃至１３を参照し説明する。図１１は、本実施形態に係るプラント監視制御装置１を示すブロック図である。なお、第２実施形態と同一の構成には、同一の符号を付し、重複する説明は省略する。
【００５４】
警報検索結果確認処理部１２は、入力部４から通知される警報確認操作を行いたい項目に対応する警報メッセージ３２を検索し、検索結果に基づいて警報情報記録処理部６の内容を更新するものである。警報確認操作を行いたい項目の警報メッセージ３２を検索は、図１１に示すように、警報監視画面３１の警報種別検索ウィンドウ３４に対する選択により決定する。項目の選択は、入力部４をユーザが操作することにより行われ、選択結果は、警報検索結果確認処理部１２に対して通知される。
【００５５】
警報情報記録処理部６には、「検索」列が設けられる。「検索」列は、“０”と“１”で表わされる。“０”は、警報メッセージ３２に対して検索が行われていないことを示し、“１”は警報メッセージ３２に対して検索が行われたことを示す。検索処理は、ユーザが、警報監視画面３１の警報種別検索ウィンドウ３４において、警報確認操作を行いたい項目を選択することで行われる。
【００５６】
また、警報監視画面３１上の確認ＰＢ１８または一括確認ＰＢ３３より警報確認操作を行うことで、警報情報記録処理部６に格納される警報メッセージテーブル１３の「確認」列内に、「検索」列に“１”が立っている行だけ“１”を書き込む。
【００５７】
［３−２．作用］
このように構成された本実施形態のプラント監視制御装置１の動作を図１４を用いて詳述する。図１４は、図７のプラント監視制御装置１において、警報メッセージ３２を項目単位で検索し、検索結果に対して一括に警報確認操作を行う場合のフローチャートである。
【００５８】
プラント２で警報が発生すると、図１２に例示される警報監視画面３１に警報色でフリッカした警報メッセージ３２が表示される。運転員は表示部３を通じて警報監視画面３１で未確認警報を確認する。確認後、運転員は入力部４により警報種別検索ウィンドウ３４より、警報確認操作を行いたい警報の項目を選択する（ＳＴＥＰ３０１）。
【００５９】
項目の選択を行った場合（ＳＴＥＰ３０１のＹ）、選択された警報に対しては、警報情報記録処理部６には、検索列の“０”を“１”に更新する（ＳＴＥＰ３０２）。警報監視画面では、検索列の“１”となった警報メッセージ３２を警報監視画面３１に表示する。
【００６０】
項目の選択を行った場合（ＳＴＥＰ３０１のＹ）、項目選択を行わなかった場合（ＳＴＥＰ３０１のＮ）共に、図１３に例示される警報監視画面３１に警報色でフリッカした警報メッセージ３２が表示される。運転員は表示手段３に表示される警報監視画面３１で未確認警報を確認する。確認後、運転員は入力部を操作し、一括確認ＰＢ３３で確認するか、個別に確認するかの選択をする（ＳＴＥＰ３０３）。
【００６１】
警報を一括で確認する場合（ＳＴＥＰ３０３のＹ）は、ユーザは、警報監視画面に表示されている一括確認ＰＢ３３を選択する（ＳＴＥＰ３０４）。一括確認ＰＢ３３が選択されると、検索テーブルに１があるか否かを判定する（ＳＴＥＰ３０５）。
【００６２】
検索テーブルに１がある場合には、検索列で１の行だけ、確認列の対応する列に１を書き込む（ＳＴＥＰ３０７）。
【００６３】
検索テーブルに１がない場合には、テーブル１内の確認列にあるすべての０を１に更新する（ＳＴＥＰ３０６）。
【００６４】
一方、警報を個別に確認する場合の工程（ＳＴＥＰ３０８〜ＳＴＥＰ３１５）は、前記実施形態のＳＴＥＰ２０４〜ＳＴＥＰ２１０と同様である。
【００６５】
［３−３．効果］
本実施形態のプラント監視制御装置１によれば、前記実施形態の効果に加えて、警報メッセージ３２を項目単位で一括して警報確認操作が行える。この方法であれば、運転員判断がつかない担当外の警報を残して、担当範囲内の警報メッセージ３２だけを間違いなく警報確認することが出来る。これにより操作性の優れた警確認操作機能が可能となる。
【００６６】
［４．その他の実施形態］
本明細書においては、本発明に係る複数の実施形態を説明したが、これらの実施形態は例として提示したものであって、発明の範囲を限定することを意図していない。具体的には、発明の範囲を逸脱しない範囲で、種々の省略や置き換え、変更を行うことができる。これらの実施形態やその変形は、発明の範囲や要旨に含まれると同様に、特許請求の範囲に記載された発明とその均等の範囲に含まれるものである。
【００６７】
さらに、第１乃至第３実施形態を全て又はいずれかを組み合わせたものも包含され、その他の様々な形態で実施されることが可能である。
【符号の説明】
【００６８】
１…プラント監視制御装置
２…プラント
３…表示部
３１…警報監視画面
３２…警報メッセージ
３３…一括確認ＰＢ
３４…警報種別検索ウィンドウ
３５…警報個別確認ウィンドウ
３６…個別確認ＰＢ
４…入力部
５…警報情報更新処理部
６…警報情報記録処理部
７…警報監視画面表示処理部
８…警報一括確認処理部
９…警報検索処理部
１０…警報個別確認処理部
１１…警報複数確認処理部
１２…警報検索結果確認処理部
１３…警報メッセージテーブル
１６…複数確認テーブル
１７…警報複数確認チェックボックス
１８…確認ＰＢ
【図１】
2015036849.tif 000003
【図２】
2015036849.tif 000004
【図３】
2015036849.tif 000005
【図４】
2015036849.tif 000006
【図５】
2015036849.tif 000007
【図６】
2015036849.tif 000008
【図７】
2015036849.tif 000009
【図８】
2015036849.tif 000010
【図９】
2015036849.tif 000011
【図１０】
2015036849.tif 000012
【図１１】
2015036849.tif 000013
【図１２】
2015036849.tif 000014
【図１３】
2015036849.tif 000015
【図１４】
2015036849.tif 000016